(57)【特許請求の範囲】
【請求項１】
片面に複数の記録層を有し、各記録層のトラックがウォブルされている光ディスクであって、
上記トラックは、ウォブルの位相が途中で変化し、この位相の変化量が各記録層で異なるように形成されていることを特徴とする光ディスク。
【請求項２】
上記トラックは、光ディスクが回転駆動される際、ウォブルの位相が途中で変化したのち、所定の時間で元の位相に戻るように形成されていることを特徴とする請求項１記載の光ディスク。
【請求項３】
記録層が２層の場合、ウォブルの位相の変化量が第１層目の記録層で＋α°（０＜α）、第２層目の記録層で−α°であるか、または、位相の変化量が第１層目の記録層で−α°、第２層目の記録層で＋α°であるように各記録層のトラックが形成されていることを特徴とする請求項１または２記載の光ディスク。
【請求項４】
請求項１記載の光ディスクを使用し、該光ディスクに対して情報の記録再生または再生のみを行う記録再生方法であって、
各記録層のトラックに施されたウォブルの位相の変化を検出することで記録層を識別することを特徴とする記録再生方法。
【請求項５】
請求項１記載の光ディスクを使用し、該光ディスクに対して情報の記録再生または再生のみを行う光ディスク装置であって、
各記録層のトラックに施されたウォブルの位相変化量を検出する検出手段と、該検出手段による検出結果から、記録層を識別する記録層識別手段とを備えていることを特徴とする光ディスク装置。
【発明の詳細な説明】
【０００１】
【発明の属する技術分野】
本発明は、片面に複数の記録層を有する光ディスク、上記光ディスクの記録層を識別する記録層識別方法、上記光ディスクに対して情報の記録再生を行う光ディスク装置に関する。
【０００２】
【従来の技術】
近年、記録可能な光ディスクの大容量化の手段として、ディスクの片面に相変化材料からなる記録層を２層有する光ディスクが提案されている。このような光ディスクでは、光の入射側からみて手前の層（第１層）と奥の層（第２層）の２つの層に記録がなされる。
【０００３】
通常、上記のような光ディスクは、光の入射側から、保護層としての透明な基板と、記録層である第１層および第２層とが順に積層された構造となっている。このため、第１層に情報を記録する際には、透明な基板を透過した光が使用されるのに対し、第２層を記録する際には、第１層を透過した光で記録することとなる。このため、第１層は、半透明である必要がある。
【０００４】
つまり、上記のような記録層が２層の光ディスクでは、第１層を高透過率設計にする必要があるのに対し、第２層を高吸収率設計にする必要がある。このため、情報の記録再生の際には、光ディスク装置のレーザーパワー等の種々のパラメータを、各記録層（第１層、第２層）に応じた条件に設定する必要があり、その為には、上記第１層と第２層とを精度よく識別する必要が生じる。
【０００５】
例えば、記録層である第１層（１層目）と第２層（２層目）とを識別するフォーマットをもつ光ディスクとして、再生専用の光ディスクであるＤＶＤ（Digital Versatile Disc) −ＲＯＭの２層ディスクがある。ＤＶＤ−ＲＯＭの２層ディスクでは、セクタのアドレス部に、記録層識別コードを含むＩＤコードが書かれており、ＤＶＤ−ＲＯＭを再生するドライブはこのＩＤコードを読み取ることで１層目か２層目かを識別することができる。しかしながら、この方法では、ＩＤコードを復調し、エラーなく読み出す必要があり、容易に記録層を識別できるとは言い難い。
【０００６】
そこで、特開２０００−２９３８８９号公報には、アドレスマークを構成するピット（アドレスピット）の凹凸やパターンを記録層毎に変えることで、記録層の識別を可能にする方法が開示されている。
【０００７】
また、特開２０００−２９８８８３号公報には、グルーブの途切れた位置にアドレスピットが施されたランド・グルーブ双方が記録可能な光ディスクにおいて、千鳥状に配置されたアドレスピットの位置関係や極性を記録層の第１層と第２層とで異なるようにすることで、記録層の識別を可能にする方法が開示されている。
【０００８】
これらの各公報に開示された記録層の識別方法は、アドレスピットを読み込むだけで記録層の識別を可能としているので、データの復調を必要とせず、データの復調によるエラー等の不都合が生じないため、ＩＤコードで記録層を識別する方法に比べて、簡便で信頼性の高い識別方法であるといえる。
【０００９】
【発明が解決しようとする課題】
しかしながら、特開２０００−２９３８８９号公報に開示されているように、アドレスマークを構成するピットの凹凸やパターンを認識する方法では、ピット列で構成されたトラックのトラッキングを開始した後、ピットで記録されている比較的周波数の高い信号を処理することからノイズの影響を受け易くなるため、記録層の識別の信頼性が低下する虞がある。
【００１０】
また、特開２０００−２９８８８３号公報に開示されているように、千鳥状に配置されたアドレスピットの位置関係や極性を判別する手段では、トラックが途切れた箇所にピックアップの光ビームがやってくるタイミングに合わせてトラッキングサーボをはずす必要がある。そのタイミングを得たのちにグルーブもしくはランドをトラッキングして、アドレスピット部の信号の極性を判断する必要があり、トラッキングを開始するまでに時間を要し、結果として、記録層識別までに時間がかかるという問題が生じる。
【００１１】
本発明は、上記の問題点を解決するためになされたもので、その目的は、多数の記録層を有する光ディスクの各記録層を、データの復調を必要とせず、簡便で信頼性が高く、しかも迅速に識別できる光ディスクおよびその識別方法並びに光ディスク装置を提供することにある。
【００１２】
【課題を解決するための手段】
本発明の光ディスクは、上記の課題を解決するために、片面に複数の記録層を有し、各記録層のトラックがウォブルされている光ディスクであって、上記トラックは、ウォブルの位相が途中で変化し、この位相の変化量が各記録層で異なるように形成されていることを特徴としている。
【００１３】
上記の構成によれば、ウォブルの位相が途中で変化し、この位相の変化量が各記録層により異なるようにトラックが形成されていることで、該トラックを光ビームにより走査し、ウォブルの位相の変化量を検出するだけで、簡便に記録層を特定することが可能となる。
【００１４】
この場合、ウォブルの周波数は比較的低い為、ノイズの影響を受け難く、信頼性高く、記録層を識別することができる。
【００１５】
しかも、トラックを光ビームにより走査している間に、記録層を識別できるようになるので、トラッキングを開始するまでの時間を短縮し、結果として、記録層識別まで時間を短縮することできる。
【００１６】
上記構成の光ディスクは、以下の方法により記録層の識別を行うことができる。すなわち、本発明の記録層の識別方法は、上記構成の光ディスクの各記録層のトラックに施されたウォブルの位相変化量を検出することで記録層を識別することを特徴としている。
【００１７】
また、上記記録層識別方法は、以下の装置により実行可能となる。すなわち、本発明の記録層識別装置は、上記構成の光ディスクの各記録層のトラックに施されたウォブルの位相変化量を検出する検出手段と、該検出手段による検出結果から、記録層を識別する記録層識別手段とを備えていることを特徴としている。
【００１８】
上記の位相変化量の検出には、例えば光ディスクに照射する光ビームの反射光を利用することが考えられる。これにより、記録層を識別するための部材を別途設ける必要がないので、記録層識別装置を備えた光ディスク装置の構成を簡素化できる。
【００１９】
なお、上記の位相変化量の検出には、光ディスクに照射する光ビームの光源とは別に設けた光源から照射される光ビームを利用してもよい。
【００２０】
また、本発明の記録層識別装置は、光ディスクに対して光ビームを照射して情報の記録再生または再生のみを行う光ディスク装置に搭載してもよい。この光ディスク装置としては、２層の記録層を有するＤＶＤ−ＲＯＭを再生するＤＶＤ−ＲＯＭ装置や、２層の記録層を有するＤＶＤ−ＲＡＭに対して情報の記録再生を行うＤＶＤ−ＲＡＭ装置等があり、その他に、複数の記録層を有する光ディスクに対して情報の記録再生または再生のみを行う光ディスク装置が考えられる。
【００２１】
一般に、光ディスクの回転数の制御は、ウォブルの位相により行っている。したがって、ウォブルの位相が途中で変化すれば、光ディスクの回転数の制御が不安定になる。
【００２２】
そこで、上記トラックを、光ディスクが回転駆動される際に、ウォブルの位相が途中で変化したのち、所定の時間で元の位相に戻るように形成するようにしてもよい。
【００２３】
この場合、位相を元に戻すための所定時間をできるだけ短くすることで、ウォブルの位相変化による光ディスクの回転数の制御に与える影響を小さくすることができ、安定した光ディスクの回転数の制御を行うことができる。
【００２４】
また、上記記録層が２層の場合、ウォブルの位相の変化量が第１層目の記録層で＋α°（０＜α）、第２層目の記録層で−α°であるか、または、ウォブルの位相の変化量が第１層目の記録層で−α°、第２層目の記録層で＋α°であるように各記録層のトラックが形成されていてもよい。
【００２５】
この場合、２層間のウォブルの位相の変化量の極性が逆になっているので、変化量がわずかであっても、極性により容易に記録層を識別することができる。
【００２６】
しかも、ウォブルの位相の変化量αが９０°であれば、一方の記録層のウォブルの位相の変化量が−９０°、他方の記録層のウォブルの位相の変化量が＋９０°となり、位相の進み／遅れを判別し易くなり、この結果、記録層の識別の信頼性を向上させることができる。
【００２７】
本発明の光ディスクは、上記の課題を解決するために、片面に複数の記録層を有し、各記録層のトラックがウォブルされている光ディスクであって、上記トラックには、アドレス情報が記録されたプレピットと、このプレピットによりアドレス管理されるデータ記録部とが光ビームによる走査方向に向かって順に形成され、上記プレピット直後のデータ記録部のウォブルの位相が各記録層で異なることを特徴としている。
【００２８】
上記の構成によれば、プレピット直後のデータ記録部のウォブルの位相が各記録層で異なることで、該トラックを光ビームにより走査し、プレピット直後のデータ記録部のウォブルの位相の相違を検出するだけで、簡便に記録層を特定することが可能となる。
【００２９】
この場合、ウォブルの周波数は比較的低い為、ノイズの影響を受け難く、信頼性高く、記録層を識別することができる。
【００３０】
しかも、トラックを光ビームにより走査している間に、記録層を識別できるようになるので、トラッキングを開始するまでの時間を短縮し、結果として、記録層識別まで時間を短縮することできる。
【００３１】
上記構成の光ディスクは、以下の方法により記録層の識別を行うことができる。すなわち、本発明の記録層の識別方法は、上記構成の光ディスクの各記録層のトラックに施されたプレピット直後のデータ記録部のウォブルの位相を検出することで記録層を識別することを特徴としている。
【００３２】
また、上記記録層識別方法は、以下の装置により実行可能となる。すなわち、本発明の記録層識別装置は、上記構成の光ディスクの各記録層のトラックに施されたプレピット直後のデータ記録部のウォブルの位相を検出する検出手段と、該検出手段による検出結果から、記録層を識別する記録層識別手段とを備えていることを特徴としている。
【００３３】
上記のウォブルの位相の検出には、例えば光ディスクに照射する光ビームの反射光を利用することが考えられる。これにより、記録層を識別するための部材を別途設ける必要がないので、記録層識別装置を備えた光ディスク装置の構成を簡素化できる。
【００３４】
なお、上記のウォブルの位相の検出には、光ディスクに照射する光ビームの光源とは別に設けた光源から照射される光ビームを利用してもよい。
【００３５】
また、本発明の記録層識別装置は、光ディスクに対して光ビームを照射して情報の記録再生または再生のみを行う光ディスク装置に搭載してもよい。この光ディスク装置としては、２層の記録層を有するＤＶＤ−ＲＯＭを再生するＤＶＤ−ＲＯＭ装置や、２層の記録層を有するＤＶＤ−ＲＡＭに対して情報の記録再生を行うＤＶＤ−ＲＡＭ装置等があり、その他に、複数の記録層を有する光ディスクに対して情報の記録再生または再生のみを行う光ディスク装置が考えられる。
【００３６】
上記記録層が２層の場合、プレピット直後のデータ記録部のウォブルの位相が、第１層目の記録層と第２層目の記録層との間で１８０°異なるように、各記録層のトラックが形成されていてもよい。
【００３７】
この場合、第１層目の記録層では、プレピット直後のデータ記録部のウォブルは、内周側に偏倚すれば、第２層の記録層では、プレピット直後のデータ記録部のウォブルは、外周側に偏倚する。逆に、第１層目の記録層では、プレピット直後のデータ記録部のウォブルは、外周側に偏倚すれば、第２層の記録層では、プレピット直後のデータ記録部のウォブルは、内周側に偏倚する。
【００３８】
この偏倚を検出することにより、第１層目の記録層と第２層の記録層とを識別することができる。
【００３９】
このように、記録層の識別は、ウォブルの偏倚を検出するだけで行うことができるので、簡便に記録層を特定することが可能となる。
【００４０】
本発明の光ディスクは、上記の課題を解決するために、片面に複数の記録層を有し、各記録層のトラックがウォブルされたグルーブからなる光ディスクであって、上記グルーブ間のランドに、トラックのアドレス情報を管理するランドプレピットが形成され、上記ランドプレピットの形成位置が各記録層毎に異なることを特徴としている。
【００４１】
上記の構成によれば、トラックとなるグルーブ間のランドに形成されたランドプレピットの形成位置が各記録層毎に異なることで、該ランドプレピットの形成位置を検出するだけで、簡便に記録層を特定することができる。
【００４２】
しかも、記録層の識別のためのランドプレピットがグルーブ間のランドに形成されているので、グルーブに対して光ビームによる走査、すなわち連続溝のトラッキングを行いながら記録層の識別が可能となる。これにより、従来のように、記録層の識別のために、トラックの途切れるタイミングを得る必要はなく、短い時間で、且つ信頼性の高い記録層の識別を行うことができる。
【００４３】
上記ランドプレピットの形成位置の具体例としては、上記記録層が２層の場合、ランドプレピットは、隣接する２本のグルーブのうち、第１層目の記録層では、内周側のグルーブが外周側に最も偏倚している位置に形成され、且つ、第２層目の記録層では、外周側のグルーブが内周側に最も偏倚している位置に形成され、または、第１層目の記録層において、外周側のグルーブが内周側に最も偏倚している位置に形成され、且つ、第２層目の記録層において、内周側のグルーブが外周側に最も偏倚している位置に形成されていてもよい。
【００４４】
また、上記ランドプレピットは、各記録層毎に、ウォブルに対して異なった位相の位置に形成されていてもよい。
【００４５】
何れの場合においても、記録層の識別のためのランドプレピットがグルーブ間のランドに形成されているので、グルーブに対して光ビームによる走査、すなわち連続溝のトラッキングを行いながら記録層の識別が可能となる。これにより、従来のように、記録層の識別のために、トラックの途切れるタイミングを得る必要はなく、短い時間で、且つ信頼性の高い記録層の識別を行うことができる。
【００４６】
上記構成の光ディスクは、以下の方法により記録層の識別を行うことができる。すなわち、本発明の記録層の識別方法は、上記構成の光ディスクのランドプレピットの形成位置を検出することで記録層を識別することを特徴としている。
【００４７】
また、上記記録層識別方法は、以下の装置により実行可能となる。すなわち、本発明の記録層識別装置は、上記構成の光ディスクのランドプレピットの形成位置を検出する検出手段と、該検出手段による検出結果から、記録層を識別する記録層識別手段とを備えていることを特徴としている。
【００４８】
上記のランドプレピットの形成位置の検出には、例えば光ディスクに照射する光ビームの反射光を利用することが考えられる。これにより、記録層を識別するための部材を別途設ける必要がないので、記録層識別装置を備えた光ディスク装置の構成を簡素化できる。
【００４９】
なお、上記のランドプレピットの形成位置の検出には、光ディスクに照射する光ビームの光源とは別に設けた光源から照射される光ビームを利用してもよい。
【００５０】
また、本発明の記録層識別装置は、光ディスクに対して光ビームを照射して情報の記録再生または再生のみを行う光ディスク装置に搭載してもよい。この光ディスク装置としては、２層の記録層を有するＤＶＤ−ＲＯＭを再生するＤＶＤ−ＲＯＭ装置や、２層の記録層を有するＤＶＤ−ＲＡＭに対して情報の記録再生を行うＤＶＤ−ＲＡＭ装置等があり、その他に、複数の記録層を有する光ディスクに対して情報の記録再生または再生のみを行う光ディスク装置が考えられる。
【００５１】
【発明の実施の形態】
〔実施の形態１〕
本発明の実施の一形態について説明すれば、以下の通りである。なお、本実施の形態では、複数の記録層を有する多層光ディスクとして、記録層が２層の光ディスクについて説明する。
【００５２】
本実施の形態に係る光ディスクは、図１（ａ）に示すように、情報の記録再生を行うための光を照射する側の面を正面に配置した状態で、２層の記録層のうち、光の照射面に近い側に形成された１層目の記録層である第１層トラック１１が見えた状態となっている。なお、説明の便宜上、図１（ａ）では、１本の記録トラックのみを図示し、他を省略している。
【００５３】
上記記録トラックは、図１（ｂ）に示す第１層トラック１１と、図１（ｃ）に示す第２層トラック１２とが積層された構造となっている。
【００５４】
上記第１層トラック１１は、図１（ａ）（ｂ）に示すように、アドレス等がプレピットの形で記録してあるＩＤ部１０１、１０２と、ユーザがデータを記録できるデータ記録部１０３、１０４のくり返しで構成されている。また、第１層トラック１１では、図中の矢印で示された方向（トラッキング方向）にデータの記録再生が行われるようになっている。
【００５５】
従って、上記第１層トラック１１では、データ記録部１０３のアドレスを管理するのがＩＤ部１０１であり、次のデータ記録部１０４のアドレスを管理するのがＩＤ部１０２となっている。
【００５６】
上記データ記録部１０３は、図１（ｂ）に示すように、一定周期でウォブリングするグルーブで構成されており、ウォブルの位相は、途中で本来の位相（図中の点線）から−９０°変化し、ＩＤ部１０２の後のデータ記録部１０４において再び元の位相に戻るように形成されている。
【００５７】
一方、第２層トラック１２は、第１層トラック１１の直下に形成されており、図１（ｃ）に示すように、第１層トラック１１と同じく、アドレス等がプレピットの形で記録してあるＩＤ部１１１、１１２と、ユーザがデータを記録できるデータ記録部１１３、１１４のくり返しで構成されている。また、第２層トラック１２では、図中の矢印で示された方向（トラッキング方向）にデータの記録再生が行われるようになっている。
【００５８】
従って、上記第２層トラック１２では、データ記録部１１３のアドレスを管理するのがＩＤ部１１１であり、次のデータ記録部１１４のアドレスを管理するのがＩＤ部１１２となっている。
【００５９】
上記データ記録部１１３、図１（ｃ）に示すように、一定周期でウォブリングするグルーブで構成されており、ウォブルの位相は、途中で本来の位相（図中の点線）から＋９０°変化し、ＩＤ部１１２の後のデータ記録部１１４において再び元の位相に戻るように形成されている。
【００６０】
上記構成の光ディスクでは、ウォブルの位相変化が起こる際、元の位相に対して、９０°進んだのか遅れたのかを判別することで、２層の記録層のうち、第１層トラック１１か第２層トラック１２かを識別することが可能となる。
【００６１】
なお、データ記録部１０３等のウォブルは、光ディスクの回転数を制御するのに使用されているため、ウォブルの位相変化が長時間になれば、光ディスクの回転数に変動が生じる。このため、ウォブルの位相変化が起こった後は、なるべく短時間で元の位相に戻す必要がある。従って、上述のように、ＩＤ部１０１の直後の、該ＩＤ部１０１によってアドレスが管理されているデータ記録部１０３の開始位置で位相を元に戻すようにすることで、位相変化の影響を少なくすることができる。
【００６２】
また、上記構成の光ディスクにおいて、ウォブルされているデータ記録部における位相変化量を、±９０°としたのは、元の位相からの進みもしくは遅れの判別が最も行い易い変化量のためである。
【００６３】
なお、この位相変化量は、９０°に限定されるものではなく、例えば、ウォブルの位相の変化量が第１層目の記録層で＋α°（０＜α）、第２層目の記録層で−α°であるか、または、ウォブルの位相の変化量が第１層目の記録層で−α°、第２層目の記録層で＋α°であるように各記録層のトラックが形成されていてもよい。
【００６４】
この場合、２層間のウォブルの位相の変化量の極性が逆になっているので、変化量がわずかであっても、極性により容易に記録層を識別することができる。
【００６５】
上記構成の光ディスクの記録層を識別するための装置としては、図２に示すような記録層識別装置１２０がある。この記録層識別装置１２０は、光ディスクに対して情報の記録再生または再生のみを行う光ディスク装置に搭載されていてもよいし、別途設けてもよい。
【００６６】
上記記録層識別装置１２０は、図２に示すように、グルーブのウォブルを読み込んで得られたウォブル信号を２値化するコンパレータ１２１と、このコンパレータ１２１からの２値化信号と上記ウォブル信号から生成したＰＬＬクロック信号との位相を比較する位相比較回路１２２と、この位相比較回路１２２から出力される信号に基づいてウォブル信号が途中で９０°進んでいるのか遅れているのかを検出して、記録層の識別を行う記録層識別回路１２３とを備えている。
【００６７】
上記構成の記録層識別装置１２０の位相比較回路１２２における具体的な信号処理について、図３および図４を参照しながら以下に説明する。なお、図３は、位相比較回路１２２のブロック図を示し、図４は、図３に示すブロック図の各回路の信号出力のタイミングチャートを示す。
【００６８】
位相比較回路１２２は、図３に示すように、フリップフロップ回路ＦＦ１、フリップフロップ回路ＦＦ２、ＮＡＮＤ回路、インバータＩｎｖ１、インバータＩｎｖ２、ＮＯＲ１回路、ＮＯＲ２回路で構成されている。
【００６９】
上記フリップフロップ回路ＦＦ１には、２値化されたウォブル信号Ｗｏが入力され、フリップフロップ回路ＦＦ２には、ウォブル信号から生成されたＰＬＬクロックであるクロック信号ＰＬが入力される。
【００７０】
フリップフロップ回路ＦＦ１およびＦＦ２のそれぞれのＤ入力端子には、Ｈｉｇｈ（Ｈ）レベルの信号が入力され、ウォブル信号Ｗｏやクロック信号ＰＬがＨｉｇｈレベルになったとき、それぞれの出力端子Ｑから出力される信号ＦＦ１Ｑ、信号ＦＦ２Ｑは１（Ｈレベル）となり、出力端子Ｑバーから出力される信号ＦＦ１Ｑバー、信号ＦＦ２Ｑバーは、０（Ｌレベル）となる。
【００７１】
ＮＡＮＤ回路は、入力されるフリップフロップ回路ＦＦ１、ＦＦ２の出力端子Ｑからの信号ＦＦ１Ｑ、信号ＦＦ２Ｑがともに１のとき、該フリップフロップ回路ＦＦ１，ＦＦ２のそれぞれリセット端子Ｒに出力しているリセット信号が１となる。これにより、フリップフロップ回路ＦＦ１、ＦＦ２は同時にリセットされることになる。
【００７２】
上記フリップフロップ回路ＦＦ１の出力端子Ｑからの信号ＦＦ１Ｑは、そのままＮＯＲ１回路に入力される一方、インバータＩｎｖ１により反転され、ＮＯＲ２回路に入力される。
【００７３】
上記フリップフロップ回路ＦＦ２の出力端子Ｑからの信号ＦＦ２Ｑは、そのままＮＯＲ２回路に入力される一方、インバータＩｎｖ２により反転されＱ出力はＩｎｖ１により反転され、ＮＯＲ１回路に入力される。
【００７４】
上記ＮＯＲ１回路およびＮＯＲ２回路では、入力される２つの信号の少なくとも一方が１、すなわちＨレベルの信号であれば、“０”、すなわちＬレベルの信号ＯＵＴ１、ＯＵＴ２を出力し、入力される２つの信号が両方とも０、すなわちＬレベルの信号であれば、“１”、すなわちＨレベルの信号ＯＵＴ１、ＯＵＴ２を出力する。
【００７５】
ここで、図４に示すタイミングチャートは、ウォブル信号Ｗｏの位相がＰＬＬ信号の位相に比べて９０°進んだ場合の位相比較回路１２２で得られる信号出力のタイミングチャートを示している。このタイミングチャートから、ＮＯＲ１回路から出力される信号ＯＵＴ１は、ウォブル信号に同期してＨレベルとなる信号であるのに対して、ＮＯＲ２回路から出力される信号ＯＵＴ２は、常に、Ｌレベルとなっている信号である。
【００７６】
これにより、記録層識別回路１２３では、入力される２つの信号のうち、信号ＯＵＴ１によって、９０°位相が進んだ第２層トラック１２を識別していることが分かる。
【００７７】
逆に、ウォブル信号Ｗｏの位相がＰＬＬ信号の位相に比べて９０°遅れた場合には、ＮＯＲ２回路から出力される信号ＯＵＴ２が、ウォブル信号に同期してＨレベルとなる信号となるのに対して、ＮＯＲ１回路から出力される信号ＯＵＴ１が、常に、Ｌレベルとなる。
【００７８】
これにより、記録層識別回路１２３では、入力される２つの信号のうち、信号ＯＵＴ２によって、９０°位相が遅れた第１層トラック１１を識別していることが分かる。
【００７９】
以上のように、上記構成の光ディスクと記録層識別装置１２０とを用いれば、基準となるＰＬＬ信号の位相に対して、９０°遅れているか進んでいるかを記録層識別回路１２３によって識別することで、第１層トラック１１と第２層トラック１２との識別を可能にしている。
【００８０】
〔実施の形態２〕
本発明の他の実施の形態について説明すれば、以下の通りである。なお、本実施の形態では、前記実施の形態１と同様に、複数の記録層を有する多層光ディスクとして、記録層が２層の光ディスクについて説明する。
【００８１】
本実施の形態に係る光ディスクは、図５（ａ）に示すように、前記実施の形態１と同様に、情報の記録再生を行うための光を照射する側の面を正面に配置した状態で、２層の記録層のうち、光の照射面に近い側に形成された第１層目の記録層である第１層トラック２１が見えた状態となっている。なお、説明の便宜上、図５（ａ）では、１本の記録トラックのみを図示し、他を省略している。
【００８２】
上記記録トラックは、図５（ｂ）に示す第１層トラック２１と、図５（ｃ）に示す第２層トラック２２とが積層された構造となっている。
【００８３】
上記第１層トラック２１は、図５（ａ）（ｂ）に示すように、アドレス等がプレピットの形で記録してあるＩＤ部２０１、２０２と、ユーザがデータを記録できるデータ記録部２０３、２０４のくり返しで構成されている。また、第１層トラック２１では、図中の矢印で示された方向（トラッキング方向）にデータの記録再生が行われるようになっている。
【００８４】
従って、上記第１層トラック２１では、データ記録部２０３のアドレスを管理するのがＩＤ部２０１であり、次のデータ記録部２０４のアドレスを管理するのがＩＤ部２０２となっている。
【００８５】
一方、第２層トラック２２は、第１層トラック２１の下側に形成されており、図５（ｃ）に示すように、第１層トラック２１と同じく、アドレス等がプレピットの形で記録してあるＩＤ部２１１、２１２と、ユーザがデータを記録できるデータ記録部２１３、２１４のくり返しで構成されている。また、第２層トラック２２では、図中の矢印で示された方向（トラッキング方向）にデータの記録再生が行われるようになっている。
【００８６】
従って、上記第２層トラック２２では、データ記録部２１３のアドレスを管理するのがＩＤ部２１１であり、次のデータ記録部２１４のアドレスを管理するのがＩＤ部２１２となっている。
【００８７】
上記第１層トラック２１のデータ記録部２０３および第２層トラック２２のデータ記録部２１３は、ともに一定周期でウォブリングするグルーブで構成されており、第１層トラック２１のＩＤ部２０１の直後のデータ記録部２０３の位相と、第２層トラック２のＩＤ部２１１の直後のデータ記録部２１３の位相とが１８０°異なるようにウォブルされている。
【００８８】
すなわち、第１層トラック２１は、図５（ｂ）に示すように、ＩＤ部２０１の直後のデータ記録部２０３が、まず、内周側に偏倚するようにウォブルされているのに対し、第２層トラック２２は、図５（ｃ）に示すように、ＩＤ部２１１の直後のデータ記録部２１３が、まず、外周側に偏倚するようにウォブルされている。
【００８９】
そこで、各ＩＤ部２０１、ＩＤ部２１１の直後のウォブルの偏倚が内周であるか外周であるのかを検出すること、すなわちウォブルの偏倚方向を検出することで、第１層トラック２１と第２層トラック２２とを識別することが可能となる。
【００９０】
上記構成の光ディスクの記録層を識別するための装置としては、図６に示すような記録層識別装置２２０がある。この記録層識別装置２２０は、光ディスクに対して情報の記録再生または再生のみを行う光ディスク装置に搭載されていてもよいし、別途設けてもよい。
【００９１】
上記記録層識別装置２２０は、図６に示すように、プッシュプル信号に含まれるウォブル信号を２値化するコンパレータ２２１と、プッシュプル信号とTotal 信号とに基づいて記録トラック上のピット、すなわちＩＤ部を検出するピットＩＤ検出回路２２２と、ピットＩＤ検出回路２２２からの信号に基づいてウォブル極性の検出窓を生成する検出窓生成回路２２３と、２値化されたウォブル信号を検出窓生成回路２２３によって生成された検出窓により極性を判別し、ウォブルの偏倚方向を判別する記録層識別回路としてのウォブル偏倚方向判別回路２２４とで構成されている。
【００９２】
ここで、上記記録層識別装置２２０を用いた記録層の識別について、図７および図８に示すタイミングチャートを用いて以下に説明する。
【００９３】
図７は、第１層トラック２１に光ビームがフォーカスされている時に得られる記録層識別装置２２０の各回路で得られる信号のタイミングチャートを示し、図８は、第２層トラック２２に光ビームがフォーカスされている時に得られる記録層識別装置２２０の各回路で得られる信号のタイミングチャートを示す。なお、図中（ａ）〜（ｄ）は、図６に示す信号（ａ）〜（ｄ）に相当している。
【００９４】
すなわち、（ａ）は、プッシュプル信号に含まれる第１層トラック２１のウォブル信号を示し、（ｂ）は、信号（ａ）が２値化された信号を示し、（ｃ）は、プッシュプル信号とTotal 信号とに基づいて、ピットＩＤ検出回路２２２にて得られた記録トラック上のＩＤ部の検出信号を示し、（ｄ）は、検出信号（ｃ）から検出窓生成回路２２３にて得られた検出窓に対応する信号を示す。
【００９５】
上記ウォブル信号（ａ）の２値化された信号（ｂ）は、ウォブルがディスクの内周側へ偏倚しているときHighレベルの出力になり、ウォブルがディスクの外周側へ偏倚しているときLow レベルの出力になる。
【００９６】
一方、プッシュプル信号とTotal 信号から得られる検出信号（ｃ）は、ＩＤ部でHighレベルの出力になり、非ＩＤ部ではLow レベルの出力になる。
【００９７】
上記検出窓生成回路２２３では、検出窓が、ピットＩＤ検出回路２２２で検出されたＩＤ部が終了する時刻よりΔｔ1 遅れた時刻より、Δｔ2 遅れた時刻まで開かれるように、信号（ｃ）が出力される。ここで、Δｔ1 とΔｔ2 は、ＩＤ部後方のウォブルのはじめの半周期分から２値化されたウォブル信号をサンプリングできるように選ばれる。
【００９８】
従って、上記ウォブル偏倚方向判別回路２２４では、信号（ｄ）で定められる検出窓の期間、信号（ｂ）を観測することで、第１層なら、図７に示すようにHighレベルの出力が得られ、第２層なら、図８に示すようにLow レベルの出力が得られる。これにより、ウォブル偏倚方向判別回路（記録層識別回路）２２４で光ディスクの記録層の識別が可能となる。
【００９９】
〔実施の形態３〕
本発明のさらに他の実施の形態について説明すれば、以下の通りである。なお、本実施の形態では、前記実施の形態１と同様に、複数の記録層を有する多層光ディスクとして、記録層が２層の光ディスクについて説明する。
【０１００】
本実施の形態に係る光ディスクは、図９（ａ）に示すように、前記実施の形態１と同様に、情報の記録再生を行うための光を照射する側の面を正面に配置した状態で、２層の記録層のうち、光の照射面に近い側に形成された第１層目の記録層である第１層トラック３１が見えた状態となっている。なお、説明の便宜上、図９（ａ）では、１本の記録トラックのみを図示し、他を省略している。
【０１０１】
上記記録トラックは、図９（ｂ）に示す第１層トラック３１と、図９（ｃ）に示す第２層トラック３２とが積層された構造となっている。
【０１０２】
第１層トラック３１および第２層トラック３２は、図９（ｂ）（ｃ）に示すように、ウォブルしたグルーブ（以下、グルーブトラックと称する）からなり、グルーブトラック間のランドに、該グルーブトラックのアドレス情報が記録されたランドプレピットが設けられている。
【０１０３】
上記第１層トラック３１では、図９（ｂ）に示すように、グルーブトラックの内周側で、かつ、ウォブルが最も内周側へ偏倚した位置にランドプレピットが設けられている。また、第２層トラック３２では、図９（ｃ）に示すように、グルーブトラックの外周側で、かつ、ウォブルが最も外周側へ偏倚した位置に設けられている。
【０１０４】
これにより、記録トラック上を光ビームスポットが走査した際、ランドプレピットが内周側にあるか外周側にあるかを検出することで、第１層トラック３１／第２層トラック３２の識別が可能となる。この識別の具体的な説明を、図１０（ａ）（ｂ）および図１１（ａ）（ｂ）を参照しながら以下に説明する。
【０１０５】
図１０（ａ）は、第１層トラック３１のＮ番目のグルーブトラックに対する光ビームスポットの走査が、Ｎ番目トラックの内周側のランドにあるランドプレピットＬＰＰ１（Ｎ）に差し掛かっている時の状態を示している。この状態からもう少し時間が経つと、光ビームスポットは移動し、（Ｎ＋１）番目トラックのランドプレピットＬＰＰ１（Ｎ＋１）に差し掛かることになる。この時得られるプッシュプル信号を、図１１（ａ）に示す。
【０１０６】
図１１（ａ）から、第１層トラック３１のＮ番目トラックのランドプレピットはウォブル振幅が正方向に最大になるところで、正方向（上向き）に出現し、（Ｎ＋１）番目トラックのランドプレピットはウォブル振幅が中程度の位置で、負方向（下向き）に出現していることが分かる。
【０１０７】
また、図１０（ｂ）は、第２層トラック３２のＮ番目のグルーブトラックに対する光ビームスポットの走査が、Ｎ番目トラックの外周側のランドにあるランドプレピットＬＰＰ２（Ｎ）に差し掛かっている時の状態を示している。この状態の少し前では、光ビームスポットは、（Ｎ−１）番目トラックのランドプレピットＬＰＰ２（Ｎ−１）に差し掛かかっていることになる。このとき得られるプッシュプル信号を、図１１（ｂ）に示す。図１１（ｂ）では、第２層トラック３２のＮ番目トラックを光ビームが走査しているときに得られるプッシュプル信号を示す。
【０１０８】
図１１（ｂ）から、第２層トラック３２では、トラックの外周側にランドプレピットが位置している為、Ｎ番目トラックのランドプレピットはウォブル振幅が負方向に最大になるところで、負方向（下向き）に出現し、（Ｎ−１）番目トラックのランドプレピットがウォブル振幅が中程度の位置で、正方向（上向き）に出現していることが分かる。
【０１０９】
上記構成の光ディスクの記録層を識別するための装置としては、図１２に示すような記録層識別装置３１０がある。この記録層識別装置３１０は、光ディスクに対して情報の記録再生または再生のみを行う光ディスク装置に搭載されていてもよいし、別途設けてもよい。
【０１１０】
上記記録層識別装置３１０は、図１２に示すように、光ディスクから得られたプッシュプル信号に含まれるウォブル信号を、２値化してウォブル信号を検出するウォブル検出回路３１１と、ウォブル検出回路３１１からの検出信号に基づいて、検出窓を生成する検出窓生成回路３１２と、検出窓生成回路３１２で生成された検出窓に対応する信号と、プッシュプル信号をコンパレータＡおよびＢから得られた信号とに基づいてランドプレピット形成方向を判別することで、記録層を識別するランドプレピット形成方向判別回路（記録層識別回路）３１３とで構成されている。
【０１１１】
ここで、上記記録層識別装置３１０を用いて、光ディスクの記録層のうち、第１層トラック３１を識別する場合について、図１３に示すタイミングチャートを参照しながら以下に説明する。
【０１１２】
なお、図１３に示す（Ｏ）は、図１１（ａ）に示す第１層トラック３１のＮ番目のトラックを光レーザスポットで走査した場合のプッシュプル信号と同じものを示す。また、図１３に示す（ａ）、（ｂ１）、（ｂ２）、（ｃ１）、（ｃ２）は、図１２に示す記録層識別装置３１０の各回路から出力される信号（ａ）、（ｂ１）、（ｂ２）、（ｃ１）、（ｃ２）対応する。
【０１１３】
信号（ａ）は、プッシュプル信号に含まれるウォブル信号の検出信号を示し、信号（ｂ１）は、信号（ａ）のHighレベルに対応して生成された検出窓の信号を示し、信号（ｂ２）は、信号（ａ）のLow レベルに対応して生成された検出窓の信号を示し、信号（ｃ１）は、プッシュプル信号の電位を、電位＋Ｖと比較して、この＋Ｖよりも大きい信号を検出したときの信号を示し、信号（ｃ２）は、プッシュプル信号の電位を、電位−Ｖと比較し、この−Ｖよりも小さい信号を検出したときの信号を示す。
【０１１４】
すなわち、記録層識別装置３１０において、上記ウォブル検出回路３１１では、検出信号、すなわちプッシュプル信号から２値化されたウォブル信号（ａ）が生成され、検出窓生成回路３１２では、２値化されたウォブル信号（ａ）から、検出窓が２種類作られ、信号（ｂ１）と（ｂ２）を出力する。
【０１１５】
上記信号（ｂ１）は、図１３に示すように、ウォブル信号の正の領域のほぼ中央に検出窓を設けることになる。これは、２値化されたウォブル信号（ａ）の立ち上がり時刻から、Δｔ3 後の時刻からΔｔ4 後の時刻まで検出窓を開くようにΔｔ3 、Δｔ4 を設定することで達成できる。同様に、信号（ｂ２）では、ウォブル信号（ａ）の立ち下がり時刻から、Δｔ5 後の時刻からΔｔ6 後の時刻まで検出窓を開くようにΔｔ5 、Δｔ6 を設定することで、ウォブル信号（ａ）の負の領域のほぼ中央に検出窓を設けることが可能となる。
【０１１６】
コンパレータＡでは、入力されたプッシュプル信号を電位＋Ｖと比較して、＋Ｖ以上の電位が得られるときに、Highレベルの信号（ｃ１）を出力するようにしている。この場合、図１３の（Ｏ）で示すプッシュプル信号では、＋Ｖの値が、ウォブル振幅より大きく、かつ、正方向に現れるＮ番目トラックのランドプレピット信号が到達する電位より小さい値に設定されている。これにより、図１３（ｃ１）に示すように、Ｎ番目トラックのランドプレピットが現れる位置で、Highレベル、Highレベルのパルスが現れることとなる。
【０１１７】
一方、コンパレータＢでは、入力されたプッシュプル信号を電位−Ｖと比較して、−Ｖ以下の電位が得られるときに、Highレベルの信号（ｃ２）を出力するようにしている。この場合、図１３（Ｏ）に示すプッシュプル信号では、−Ｖの値が、上記した＋Ｖと対称の電位になっている。（Ｎ＋１）番目トラックのランドプレピットは、ウォブル信号振幅が中程度の位置にあるため、その到達電位は通常、電位−Ｖより大きい。
【０１１８】
従って、通常、コンパレータＢからは、Highレベルの信号は出力されない。しかしながら、ランドプレピット振幅に分布があり、図１３（Ｏ）中で（※）で示すような大きな振幅のランドプレピットがあった場合は、その位置で、信号（ｃ２）はHighレベルとなる。
【０１１９】
上記ランドプレピット形成方向判別回路３１３では、検出窓生成回路３１２の検出窓中に表れる信号（ｃ１）のパルス１０、（ｂ２）の検出窓中に現れる（ｃ２）のパルスを数えることとなる。
【０１２０】
すなわち、第１層トラック３１での識別動作を表わす図１３のタイミングチャートでは、信号（ｃ１）で現れるパルスは全て信号（ｂ１）の検出窓中に入っている為、Ｎ番目トラックのランドプレピットがカウントされることになる。
【０１２１】
また、ランドプレピット振幅の分布により、非定常的に信号（ｃ２）で現れるパルスは、信号（ｂ２）の検出窓中に入らない為、（Ｎ＋１）番目トラックのランドプレピットは０とカウントされる。
【０１２２】
逆に、第２層トラック３２では、信号（ｃ１）で現れるパルスは少数であり、信号（ｂ１）の検出窓中に入ってこないため０がカウントされる。信号（ｃ２）で現れるパルスは全て信号（ｂ２）の検出窓中に入る為、Ｎ番目トラックのランドプレピットがカウントされることとなる。信号（ｂ１）チャネルで得られるカウント数と、信号（ｂ２）チャネルで得られるカウント数を比較すれば、第１層トラック３１／第２層トラック３２の判別を実現できる。
【０１２３】
もし、ランドプレピット振幅の分布やランドプレピット位置の分布が大きく、各チャネルで得られるカウント数に差がでなければトラックジャンプを行い、別のトラックで同じ動作を繰り返して、差の出るトラックで記録層識別を行えばよい。
【０１２４】
〔実施の形態４〕
本発明のさらに他の実施の形態について説明すれば、以下の通りである。なお、本実施の形態では、前記実施の形態１と同様に、複数の記録層を有する多層光ディスクとして、記録層が２層の光ディスクについて説明する。
【０１２５】
本実施の形態に係る光ディスクは、図１４（ａ）に示すように、前記実施の形態１と同様に、情報の記録再生を行うための光を照射する側の面を正面に配置した状態で、２層の記録層のうち、光の照射面に近い側に形成された第１層目の記録層である第１層トラック４１が見えた状態となっている。なお、説明の便宜上、図１４（ａ）では、１本の記録トラックのみを図示し、他を省略している。
【０１２６】
上記記録トラックは、図１４（ｂ）に示す第１層トラック４１と、図１４（ｃ）に示す第２層トラック４２とが積層された構造となっている。
【０１２７】
第１層トラック４１および第２層トラック４２には、図１４（ｂ）（ｃ）に示すように、ウォブルしたグルーブ（以下、グルーブトラックと称する）からなり、グルーブトラック間のランドに、該グルーブトラックのアドレス情報が記録されたランドプレピットが設けられている。
【０１２８】
上記第１層トラック４１では、図１４（ｂ）に示すように、グルーブトラックの内周側で、かつ、ウォブルが最も内周側へ偏倚した位置から−ωの位相の位置にランドプレピットが設けられている。また、第２層トラック４２では、図１４（ｃ）に示すように、グルーブトラックの外周側で、かつ、ウォブルが最も外周側へ偏倚した位置から＋ωの位相の位置に設けられている。
【０１２９】
これにより、記録トラック上を光ビームスポットが走査した際、ウォブルに対するランドピットの位置を検出することで、第１層トラック４１／第２層トラック４２の識別が可能となる。この識別の具体的な説明を、図１５（ａ）（ｂ）および図１６（ａ）（ｂ）を参照しながら以下に説明する。
【０１３０】
図１５（ａ）は、第１層トラック４１のＮ番目のグルーブトラックに対する光ビームスポットの走査が、Ｎ番目トラックの内周側のランドにあるランドプレピットＬＰＰ１（Ｎ）に差し掛かっている時の状態を示している。この状態からもう少し時間が経つと、光ビームスポットは移動し、（Ｎ＋１）番目トラックのランドプレピットＬＰＰ１（Ｎ＋１）に差し掛かることになる。この時得られるプッシュプル信号を、図１６（ａ）に示す。
【０１３１】
図１６（ａ）から、第１層トラック４１のＮ番目トラックのランドプレピットはウォブル振幅が正方向に最大になるところから−ωの位相にある位置で、正方向（上向き）に出現し、（Ｎ＋１）番目トラックのランドプレピットはウォブル振幅が正方向に最大になるところから遅れた位相の位置で、負方向（下向き）に出現していることが分かる。
【０１３２】
また、図１５（ｂ）は、第２層トラック４２のＮ番目のグルーブトラックに対する光ビームスポットの走査が、Ｎ番目トラックの外周側のランドにあるランドプレピットＬＰＰ２（Ｎ）に差し掛かっている時の状態を示している。この状態の少し前では、光ビームスポットは、（Ｎ＋１）番目トラックのランドプレピットＬＰＰ２（Ｎ＋１）に差し掛かかっていることになる。このとき得られるプッシュプル信号を、図１６（ｂ）に示す。
【０１３３】
図１６（ｂ）から、第２層トラック４２のＮ番目トラックのランドプレピットは、ウォブル振幅が正方向に最大になるところから＋ωの位相にある位置で、正方向（上向き）に出現し、（Ｎ＋１）番目トラックのランドプレピットは、そこからさらに遅れた位相の位置に負方向（下向き）に出現していることが分かる。
【０１３４】
上記構成の光ディスクの記録層を識別するための装置としては、図１７に示すような記録層識別装置４１０がある。この記録層識別装置４１０は、光ディスクに対して情報の記録再生または再生のみを行う光ディスク装置に搭載されていてもよいし、別途設けてもよい。
【０１３５】
上記記録層識別装置４１０は、図１７に示すように、光ディスクから得られたプッシュプル信号に含まれるウォブル信号を、２値化してウォブル信号を検出するウォブル検出回路４１１と、ウォブル検出回路４１１からの検出信号に基づいて、検出窓を生成する検出窓生成回路４１２と、検出窓生成回路３１２で生成された検出窓に対応する信号と、プッシュプル信号をコンパレータから得られた信号とに基づいてランドプレピット位置を判別することで、記録層を識別するランドプレピット位置判別回路（記録層識別回路）４１３とで構成されている。
【０１３６】
ここで、上記記録層識別装置４１０を用いて、光ディスクの記録層のうち、第１層トラック４１を識別する場合について、図１８に示すタイミングチャートを参照しながら以下に説明する。
【０１３７】
なお、図１８に示す第１層ＰＰ信号は、図１６（ａ）に示す第１層トラック４１のＮ番目のトラックを光レーザスポットで走査した場合のプッシュプル信号と同じものを示し、第２層ＰＰ信号は、図１６（ｂ）に示す第２層トラック４２のＮ番目のトラックを光レーザスポットで走査した場合のプッシュプル信号と同じものを示す。また、図１８に示す（α）、（β１）、（β２）、（γ）は、図１７に示す記録層識別装置４１０の各回路から出力される信号（α）、（β１）、（β２）、（γ）に対応する。
【０１３８】
信号（α）は、プッシュプル信号に含まれるウォブル信号の検出信号（２値化されたウォブル信号）を示し、信号（β１）は、信号（α）のHighレベルに対応して生成された検出窓の信号を示し、信号（β２）は、信号（ａ）のLow レベルに対応して生成された検出窓の信号を示し、信号（γ）は、プッシュプル信号の電位を、電位＋Ｖと比較して、この＋Ｖよりも大きい信号を検出したときの信号を示す。なお、図１８では、第１層トラック４１と第２層トラック４２との両トラックから得られる信号（γ）を第１層、第２層として併記している。
【０１３９】
すなわち、記録層識別装置４１０において、ウォブル検出回路４１１では、検出信号、すなわちプッシュプル信号から２値化されたウォブル信号（α）が生成され、続いて、検出窓生成回路４１２では、２値化されたウォブル信号（α）から検出窓が２種類作られ、信号（β１）と信号（β２）として出力される。
【０１４０】
信号（β１）は、図１８に示すように、ウォブル信号（α）の正の領域の前半部分（Forward ）に検出窓を設けることになる。これは、２値化されたウォブル信号（α）の立ち上がり時刻から、Δｔ7 後の時刻からΔｔ8 後の時刻まで検出窓を開く信号が出るようにΔｔ7 、Δｔ8 を設定することで達成できる。
【０１４１】
同様に、信号（β２）では、ウォブル信号（α）の立ち上がり時刻から、Δｔ9 後の時刻からΔｔ10後の時刻まで検出窓を開く信号が出るようにΔｔ9 、Δｔ10を設定することで、ウォブル信号（α）の正の領域の後半部分に検出窓を設けることが可能となる。
【０１４２】
コンパレータでは、入力されたプッシュプル信号を電位＋Ｖと比較して、＋Ｖ以上の電位が得られるときに、Highレベルの信号を出すようにしている。図１８に示す第１層ＰＰ信号と第２層ＰＰ信号のように、＋Ｖの値は、ウォブル振幅より大きく、かつ、正方向に現れるＮ番目トラックのランドプレピット信号の到達電位より小さい値に設定されている。
【０１４３】
これにより、光ビームスポットが第１層トラック４１にあるか第２層トラック４２にあるかに従って、図１８に示す第１層もしくは第２層に対応する信号（γ）が示すように、Ｎ番目トラックのランドプレピットを表わすパルスが得られることとなる。
【０１４４】
上記ランドプレピット位置判別回路４１３では、信号（β１）の検出窓中に現れる信号（γ）のパルスと、信号（β２）の検出窓中に現れる信号（γ）のパルスを数えることとなる。第１層トラック４１に光ビームスポットがある場合は、第１層に対応する信号（γ）のパルスは信号（β１）の検出窓中に現れ、第２層トラック４２に光ビームスポットがある場合は、第２層に対応する信号（γ）のパルスは信号（β２）の検出窓中に現れる。
【０１４５】
したがって、信号（β１）チャネルで得られるカウント数と、信号（β２）チャネルで得られるカウント数を比較すれば、第１層トラック４１／第２層トラック４２の判別を実現できる。
【０１４６】
【発明の効果】
本発明の光ディスクは、以上のように、片面に複数の記録層を有し、各記録層のトラックがウォブルされている光ディスクであって、上記トラックは、ウォブルの位相が途中で変化し、この位相の変化量が各記録層で異なるように形成されている構成である。
【０１４７】
それゆえ、ウォブルの位相が途中で変化し、この位相の変化量が各記録層により異なるようにトラックが形成されていることで、該トラックを光ビームにより走査し、ウォブルの位相の変化量を検出するだけで、簡便に記録層を特定することが可能となる。
【０１４８】
この場合、ウォブルの周波数は比較的低い為、ノイズの影響を受け難く、信頼性高く、記録層を識別することができる。
【０１４９】
しかも、トラックを光ビームにより走査している間に、記録層を識別できるようになるので、トラッキングを開始するまでの時間を短縮し、結果として、記録層識別まで時間を短縮することできるという効果を奏する。
【０１５０】
一般に、光ディスクの回転数の制御は、ウォブルの位相により行っている。したがって、ウォブルの位相が途中で変化すれば、光ディスクの回転数の制御が不安定になる。
【０１５１】
そこで、上記トラックを、光ディスクが回転駆動される際、ウォブルの位相が途中で変化したのち、所定の時間で元の位相に戻るように形成するようにしてもよい。
【０１５２】
この場合、位相を元に戻すための所定時間をできるだけ短くすることで、ウォブルの位相変化による光ディスクの回転数の制御に与える影響を小さくすることができ、安定した光ディスクの回転数の制御を行うことができるという効果を奏する。
【０１５３】
また、上記記録層が２層の場合、ウォブルの位相の変化量が第１層目の記録層で＋α°（０＜α）、第２層目の記録層で−α°であるか、または、ウォブルの位相の変化量が第１層目の記録層で−α°、第２層目の記録層で＋α°であるように各記録層のトラックが形成されていてもよい。
【０１５４】
この場合、２層間のウォブルの位相の変化量の極性が逆になっているので、変化量がわずかであっても、極性により容易に記録層を識別することができる。
【０１５５】
しかも、ウォブルの位相の変化量αが９０°であれば、一方の記録層のウォブルの位相の変化量が−９０°、他方の記録層のウォブルの位相の変化量が＋９０°となり、位相の進み／遅れを判別し易くなり、この結果、記録層の識別の信頼性を向上させることができるという効果を奏する。
【０１５６】
本発明の光ディスクは、以上のように、片面に複数の記録層を有し、各記録層のトラックがウォブルされている光ディスクであって、上記トラックには、アドレス情報が記録されたプレピットと、このプレピットによりアドレス管理されるデータ記録部とが光ビームによる走査方向に向かって順に形成され、上記プレピット直後のデータ記録部のウォブルの位相が各記録層で異なる構成である。
【０１５７】
それゆえ、プレピット直後のデータ記録部のウォブルの位相が各記録層で異なることで、該トラックを光ビームにより走査し、プレピット直後のデータ記録部のウォブルの位相の相違を検出するだけで、簡便に記録層を特定することが可能となる。
【０１５８】
この場合、ウォブルの周波数は比較的低い為、ノイズの影響を受け難く、信頼性高く、記録層を識別することができる。
【０１５９】
しかも、トラックを光ビームにより走査している間に、記録層を識別できるようになるので、トラッキングを開始するまでの時間を短縮し、結果として、記録層識別まで時間を短縮することできるという効果を奏する。
【０１６０】
上記記録層が２層の場合、プレピット直後のデータ記録部のウォブルの位相が、第１層目の記録層と第２層目の記録層との間で１８０°異なるように、各記録層のトラックが形成されていてもよい。
【０１６１】
この場合、第１層目の記録層では、プレピット直後のデータ記録部のウォブルは、内周側に偏倚すれば、第２層の記録層では、プレピット直後のデータ記録部のウォブルは、外周側に偏倚する。逆に、第１層目の記録層では、プレピット直後のデータ記録部のウォブルは、外周側に偏倚すれば、第２層の記録層では、プレピット直後のデータ記録部のウォブルは、内周側に偏倚する。
【０１６２】
この偏倚を検出することにより、第１層目の記録層と第２層目の記録層とを識別することができる。
【０１６３】
このように、記録層の識別は、ウォブルの偏倚を検出するだけで行うことができるので、簡便に記録層を特定することができるという効果を奏する。
【０１６４】
本発明の光ディスクは、以上のように、片面に複数の記録層を有し、各記録層のトラックがウォブルされたグルーブからなる光ディスクであって、上記グルーブ間のランドに、トラックのアドレス情報を管理するランドプレピットが形成され、上記ランドプレピットの形成位置が各記録層毎に異なる構成である。
【０１６５】
それゆえ、トラックとなるグルーブ間のランドに形成されたランドプレピットの形成位置が各記録層毎に異なることで、該ランドプレピットの形成位置を検出するだけで、簡便に記録層を特定することができる。
【０１６６】
しかも、記録層の識別のためのランドプレピットがグルーブ間のランドに形成されているので、グルーブに対して光ビームによる走査、すなわち連続溝のトラッキングを行いながら記録層の識別が可能となる。これにより、従来のように、記録層の識別のために、トラックの途切れるタイミングを得る必要はなく、短い時間で、且つ信頼性の高い記録層の識別を行うことができるという効果を奏する。
【０１６７】
上記ランドプレピットの形成位置の具体例としては、上記記録層が２層の場合、ランドプレピットは、隣接する２本のグルーブのうち、第１層目の記録層では、内周側のグルーブが外周側に最も偏倚している位置に形成され、且つ、第２層目の記録層では、外周側のグルーブが内周側に最も偏倚している位置に形成され、または、第１層目の記録層では、外周側のグルーブが内周側に最も偏倚している位置に形成され、且つ、第２層目の記録層では、内周側のグルーブが外周側に最も偏倚している位置に形成されていてもよい。
【０１６８】
また、上記ランドプレピットは、各記録層毎に、ウォブルに対して異なった位相の位置に形成されていてもよい。
【０１６９】
何れの場合においても、記録層の識別のためのランドプレピットがグルーブ間のランドに形成されているので、グルーブに対して光ビームによる走査、すなわち連続溝のトラッキングを行いながら記録層の識別が可能となる。これにより、従来のように、記録層の識別のために、トラックの途切れるタイミングを得る必要はなく、短い時間で、且つ信頼性の高い記録層の識別を行うことができるという効果を奏する。
【図面の簡単な説明】
【図１】本発明の一実施の形態に係る光ディスクの概略を示す構成図である。
【図２】上記光ディスクの記録層を識別するための記録層識別装置を示す概略構成図である。
【図３】図２に示す記録層識別装置に備えられた位相比較回路の概略ブロック図である。
【図４】図２に示す記録層識別装置によって記録層を識別する際の動作を説明するタイミングチャートである。
【図５】本発明の他の実施の形態に係る光ディスクの概略を示す構成図である。
【図６】上記光ディスクの記録層を識別するための記録層識別装置を示す概略構成図である。
【図７】図６に示す記録層識別回路によって記録層を識別する際の動作を説明するタイミングチャートである。
【図８】図６に示す記録層識別回路によって記録層を識別する際の他の動作を説明するタイミングチャートである。
【図９】本発明のさらに他の実施の形態に係る光ディスクの概略を示す構成図である。
【図１０】（ａ）（ｂ）は、上記光ディスク上を光ビームスポットが走査している様子を示す説明図である。
【図１１】（ａ）（ｂ）は、上記光ディスク上を光ビームスポットが走査して得られたプッシュプル信号の波形図である。
【図１２】上記光ディスクの記録層を識別するための記録層識別装置を示す概略構成図である。
【図１３】図１２に示す記録層識別回路によって記録層を識別する際の動作を説明するタイミングチャートである。
【図１４】本発明のさらに他の実施の形態に係る光ディスクの概略を示す構成図である。
【図１５】（ａ）（ｂ）は、上記光ディスク上を光ビームスポットが走査している様子を示す図である。
【図１６】（ａ）（ｂ）は、上記光ディスク上を光ビームスポットが走査して得られたプッシュプル信号の波形図である。
【図１７】上記光ディスクの記録層を識別するための記録層識別装置を示す概略構成図である。
【図１８】図１７に示す記録層識別回路によって記録層を識別する際の動作を説明するタイミングチャートである。
【符号の説明】
１１  第１層トラック
１２  第２層トラック
２１  第１層トラック
２２  第２層トラック
３１  第１層トラック
３２  第２層トラック
４１  第１層トラック
４２  第２層トラック
１０１  ＩＤ部（プレピット）
１０２  ＩＤ部（プレピット）
１０３  データ記録部
１１１  ＩＤ部（プレピット）
１１２  ＩＤ部（プレピット）
１１３  データ記録部
１２０  記録層識別装置
１２２  位相比較回路（検出手段）
１２３  記録層識別回路（記録層識別手段）
２０１  ＩＤ部（プレピット）
２０２  ＩＤ部（プレピット）
２０３  データ記録部
２１１  ＩＤ部（プレピット）
２１２  ＩＤ部（プレピット）
２１３  データ記録部
２２０  記録層識別装置
２２２  位相比較回路（検出手段）
２２３  検出窓生成回路（検出手段）
２２４  ウォブル偏倚方向判別回路（記録層識別手段）
３１０  記録層識別装置
３１１  ウォブル検出回路（検出手段）
３１２  検出窓生成回路（検出手段）
３１３  ランドプレピット形成方向判別回路（記録層識別手段）
４１０  記録層識別装置
４１１  ウォブル検出回路（検出手段）
４１２  検出窓生成回路（検出手段）
４１３  ランドプレピット形成方向判別回路（記録層識別手段）
【図１】
0003748213.tif 000002
【図２】
0003748213.tif 000003
【図３】
0003748213.tif 000004
【図４】
0003748213.tif 000005
【図５】
0003748213.tif 000006
【図６】
0003748213.tif 000007
【図７】
0003748213.tif 000008
【図８】
0003748213.tif 000009
【図９】
0003748213.tif 000010
【図１０】
0003748213.tif 000011
【図１１】
0003748213.tif 000012
【図１２】
0003748213.tif 000013
【図１３】
0003748213.tif 000014
【図１４】
0003748213.tif 000015
【図１５】
0003748213.tif 000016
【図１６】
0003748213.tif 000017
【図１７】
0003748213.tif 000018
【図１８】
0003748213.tif 000019